(57)【特許請求の範囲】
【請求項１】
透液性表面シートと、不透液性裏面シートと、前記表裏面シートの間に介在する一対の透水性シートと、前記透水性シートの間に介在して表面が該透水性シートに被覆された吸液性コアとから構成され、前記コアの両側縁の外側に位置して縦方向へ延びる一対のサイドフラップと、前記コアの両端縁の外側に位置して横方向へ延びる一対のエンドフラップとを有し、縦方向へ延びる弾性的に伸縮可能な脚周り用弾性部材が、前記サイドフラップに配置され、横方向へ延びる弾性的に伸縮可能な胴周り用弾性部材が、前記エンドフラップに配置され、前記表裏面シートどうしが、該表裏面シートの互いに対向するシート面に塗布されたホットメルト型接着剤を介して接着され、前記表裏面シートと前記透水性シートとが、該表裏面シートのシート面に塗布された前記接着剤を介して接着され、前記透水性シートと前記コアとが、該透水性シートの該コアに対向するシート面に塗布された前記接着剤を介して接着され、前記脚周り用弾性部材と前記胴周り用弾性部材とが、前記表裏面シートの少なくとも該裏面シートのシート面に前記接着剤を介して伸長状態で接着された使い捨て体液処理物品において、
前記接着剤が、一方向へ曲折して延びる独立した複数条の接着ラインを形成し、隣接する前記接着ラインどうしが、互いに交わることがなく、一条の前記接着ライン自身が曲折を繰り返す回数が、前記表裏面シートの寸法１ｍに対して５０〜２００回の範囲、一条の前記接着ライン自身が交差する回数が、前記表裏面シートの寸法１ｍに対して０〜２００回の範囲にあり、
前記表裏面シートと前記透水性シートとを接着する場合の該表裏面シートに塗布する前記接着剤の塗布量が、前記表裏面シートの面積１ｍ２に対して３〜８ｇの範囲、前記表裏面シートと前記弾性部材とを接着する場合の該表裏面シートに塗布する前記接着剤の塗布量が、前記表裏面シートの面積１ｍ２に対して８〜１５ｇの範囲、前記透水性シートに塗布する前記接着剤の塗布量が、前記透水性シートの面積１ｍ２に対して０．８〜５ｇの範囲にあり、前記接着剤の粘度数が、４０００〜５５００ｃＰの範囲にあることを特徴とする前記物品。
【請求項２】
前記物品が、前記コアの両側縁近傍に位置して縦方向へ延びていて弾性的な伸縮性によって該物品の上方へ起立性向を有する一対の液抵抗性防漏シートを有し、前記サイドフラップに位置して縦方向へ延びる前記防漏シートの外側部が、該防漏シートに塗布された前記接着剤を介して前記サイドフラップに接着され、前記エンドフラップに位置する前記防漏シートの縦方向両端部が、前記物品の横方向内方と横方向外方とのいずれかに倒伏された状態で該防漏シートに塗布された前記接着剤を介して前記エンドフラップに接着され、前記防漏シートに塗布する前記接着剤の塗布量が、該防漏シートの面積１ｍ２に対して３〜８ｇの範囲にある請求項１記載の物品。
【請求項３】
前記表面シートが、親水性繊維不織布から形成され、前記裏面シートが、疎水性繊維不織布、合成樹脂フィルム、前記疎水性繊維不織布と前記合成樹脂フィルムとをラミネートした複合シートのうちのいずれかから形成されている請求項１または請求項２に記載の物品。
【発明の詳細な説明】
【０００１】
【発明の属する技術分野】
本発明は、おむつカバーや使い捨ておむつ、生理用ナプキン、尿取りパッド等の使い捨て体液処理物品に関する。
【０００２】
【従来の技術】
特開平８−１９６５５９号公報は、透液性表面シートと、不透液性裏面シートと、表裏面シートの間に介在する吸液性コアとから構成され、保液層と繊維集合層とから形成されたコアが、ティッシュペーパー（透水性シート）で被覆され、コアとティッシュペーパーとが互いに重なり合う面のほぼ全域においてホットメルト接着剤で接着された使い捨ておむつを開示している。接着剤の塗布パターンとしては、点線が続いて一方向へ延びる複数条の直線を形成したドット状の塗布パターン、複数条の直線が一方向へ延びる縦縞状の塗布パターン、直線が互いに交差して延びる格子状の塗布パターン、複数条の曲線自身が交差して延びる螺旋状の塗布パターンが記載されている。
【０００３】
【発明が解決しようとする課題】
接着剤をドット状のパターンと縦縞状のパターンとで塗布した場合、接着剤の延びる方向と交差する方向に対しては、接着剤がコアとティッシュペーパーとの剥離を線で阻止することができる。しかし、接着剤の延びる方向に対しては、接着剤がコアとティッシュペーパーとの剥離を点で阻止することができるにすぎないので、接着剤の延びる方向においてコアとティッシュペーパーとが容易に剥離してしまう場合がある。
【０００４】
接着力を強化するためには、接着剤を格子状のパターンまたは螺旋状のパターンで塗布することが好ましい。しかし、接着剤どうしまたは接着剤自身が交差する部位では、接着剤が重複して塗布されるので、交差しない部位と比較して接着剤の塗布量が増える。交差する部位では、ティッシュペーパーに滲入した接着剤がティッシュペーパーの繊維間隙を広範囲に塞いでしまう。ゆえに、接着剤の交差部位が多いと、接着剤がティッシュペーパーの透水性を妨げてしまう。
【０００５】
本発明の課題は、接着剤の延びる方向とその延びる方向に交差する方向とのいずれに対しても剥離し難く、かつ、シートが有する透液性や透水性を妨げることのないように接着剤が塗布された体液処理物品を提供することにある。
【０００６】
【課題を解決するための手段】
前述した課題を解決するために、本発明が前提とするところは、透液性表面シートと、不透液性裏面シートと、前記表裏面シートの間に介在する一対の透水性シートと、前記透水性シートの間に介在して表面が該透水性シートに被覆された吸液性コアとから構成され、前記コアの両側縁の外側に位置して縦方向へ延びる一対のサイドフラップと、前記コアの両端縁の外側に位置して横方向へ延びる一対のエンドフラップとを有し、縦方向へ延びる弾性的に伸縮可能な脚周り用弾性部材が、前記サイドフラップに配置され、横方向へ延びる弾性的に伸縮可能な胴周り用弾性部材が、前記エンドフラップに配置され、前記表裏面シートどうしが、該表裏面シートの互いに対向するシート面に塗布されたホットメルト型接着剤を介して接着され、前記表裏面シートと前記透水性シートとが、該表裏面シートのシート面に塗布された前記接着剤を介して接着され、前記透水性シートと前記コアとが、該透水性シートの該コアに対向するシート面に塗布された前記接着剤を介して接着され、前記脚周り用弾性部材と前記胴周り用弾性部材とが、前記表裏面シートの少なくとも該裏面シートのシート面に前記接着剤を介して伸長状態で接着された使い捨て体液処理物品である。
【０００７】
かかる前提において本発明は、前記接着剤が、一方向へ曲折して延びる独立した複数条の接着ラインを形成し、隣接する前記接着ラインどうしが、互いに交わることがなく、一条の前記接着ライン自身が曲折を繰り返す回数が、前記表裏面シートの寸法１ｍに対して５０〜２００回の範囲、一条の前記接着ライン自身が交差する回数が、前記表裏面シートの寸法１ｍに対して０〜２００回の範囲にあり、前記表裏面シートと前記透水性シートとを接着する場合の該表裏面シートに塗布する前記接着剤の塗布量が、前記表裏面シートの面積１ｍ２に対して３〜８ｇの範囲、前記表裏面シートと前記弾性部材とを接着する場合の該表裏面シートに塗布する前記接着剤の塗布量が、前記表裏面シートの面積１ｍ２に対して８〜１５ｇの範囲、前記透水性シートに塗布する前記接着剤の塗布量が、前記透水性シートの面積１ｍ２に対して０．８〜５ｇの範囲にあり、前記接着剤の粘度数が、４０００〜５５００ｃＰの範囲にあることを特徴とする。ここで、曲折とは、接着ラインが折れ曲がってジグザグに延びる場合、接着ラインが波状に起伏して延びる場合、接着ラインが方形波状に凸凹を画いて延びる場合を含む概念である。
【０００８】
本発明は、以下の実施態様を有する。
（１）前記物品が、前記コアの両側縁近傍に位置して縦方向へ延びていて弾性的な伸縮性によって該物品の上方へ起立性向を有する一対の液抵抗性防漏シートを有し、前記サイドフラップに位置して前記縦方向へ延びる前記防漏シートの外側部が、該防漏シートに塗布された前記接着剤を介して前記サイドフラップに接着され、前記エンドフラップに位置する前記防漏シートの縦方向両端部が、前記物品の横方向内方と横方向外方とのいずれかに倒伏された状態で該防漏シートに塗布された前記接着剤を介して前記エンドフラップに接着され、前記防漏シートに塗布する前記接着剤の塗布量が、前記防漏シートの面積１ｍ２に対して３〜８ｇの範囲にある。
（２）前記表面シートが、親水性繊維不織布から形成され、前記裏面シートが、疎水性繊維不織布、合成樹脂フィルム、前記疎水性繊維不織布と前記合成樹脂フィルムとをラミネートした複合シートのうちのいずれかから形成されている。
【０００９】
【発明の実施の形態】
添付の図面を参照し、本発明に係る使い捨て体液処理物品の詳細を使い捨ておむつを例として説明すると、以下のとおりである。
【００１０】
図１は、使い捨ておむつ１の分解斜視図である。おむつ１は、砂時計型の透液性表面シート２と、砂時計型の不透液性裏面シート３と、表面シート２と裏面シート３との間に介在する一対のティッシュペーパー４（透水性シート）と、ティッシュペーパー４の間に介在する砂時計型の吸液性コア５と、互いに対向離間して縦方向へ延びる一対の液抵抗性防漏シート６とから構成されている。
【００１１】
おむつ１は、おむつ１を構成するそれら部材の他に、互いに対向離間して縦方向へ延びる一対の脚周り用弾性部材７と、互いに対向離間して横方向へ延びる一対の胴周り用弾性部材８と、テープファスナ９と、テープファスナ９の止着域となるターゲットテープ１０とを有する。図１では、最上部に防漏シート６が配置され、図１の下方へ向かって表面シート２、ティッシュペーパー４、コア５、ティッシュペーパー４、裏面シート３、ターゲットテープ１０の順で配置されている。
【００１２】
表面シート２と裏面シート３とは、互いに対向して縦方向へ延びる両側部２ａ，３ａと、互いに対抗して横方向へ延びる両端部２ｂ，２ｃ，３ｂ，３ｃとを有する。表裏面シート２，３の両側部２ａ，３ａは、その中央が表裏面シート２，３を横方向に二分する縦中心線Ｙへ向かって湾曲し、表裏面シート２，３を縦方向に二分する横中心線Ｘに対して端部２ｂ，３ｂの側で大きくえぐれ、端部２ｃ，３ｃの側で端部２ｂ，３ｂの側よりも小さくえぐれている。ゆえに、表裏面シート２，３は、端部２ｂ，３ｂの側よりも端部２ｃ，３ｃの側が大きく形成されている。
【００１３】
裏面シート３の内面には、裏面シート３の両側部３ａに沿って弾性的に伸縮可能な一対の脚周り用弾性部材７が伸長状態で配置され、裏面シート３の両端部３ｂ，３ｃに沿って弾性的に伸縮可能なフィルム状の一対の胴周り用弾性部材８が伸長状態で配置されている。裏面シート３の端部３ｃの側における内面には、裏面シート３の両側部３ａから横方向外方へ延びるテープファスナ９の基端部が配置されている。
【００１４】
ティッシュペーパー４は、その面積が表裏面シート２，３のそれよりも小さく、コア５のそれよりも大きい矩形を呈する。
【００１５】
防漏シート６は、縦方向へ延びる自由側縁部６ａと、自由側縁部６ａに対向して縦方向へ延びる基側縁部６ｂと、基側縁部６ｂから横方向外方へ延出して縦方向へ延びる外側部６ｃと、表裏面シート２，３の前後端縁部２ｂ，２ｃ，３ｂ，３ｃに位置する縦方向両端部６ｄとを有する。防漏シート６の自由側縁部６ａには、弾性伸縮性部材１１が自由側縁部６ａに被覆された状態で伸長下に取り付けられている。防漏シート６の外側部６ｃは、その中央が横方向内方へ湾曲している。
【００１６】
表面シート２と裏面シート３との互いに対向する内面（シート面）には、それら表裏面シート２，３どうしおよび表裏面シート２，３とティッシュペーパー４とを互いに接着するための接着剤Ｂ１，Ｂ２が塗布されている。図１の下方におけるティッシュペーパー４の内面（シート面）には、ティッシュペーパー４とコア５とを接着するための接着剤Ｂ３が塗布されている。防漏シート６の外側部６ｃにおける内面と防漏シート６の両端部６ｄにおける外面とには、防漏シート６の外側部６ｃを表裏面シート２，３に接着するための接着剤Ｂ４が塗布され、防漏シート６の両端部６ｄを防漏シート６の外側部６ｃに接着するための接着剤Ｂ４が塗布されている。ターゲットテープ１０の内面には、ターゲットテープ１０を裏面シート３の外面に接着するための接着剤Ｂ５が塗布されている。テープファスナ９の基端部には、接着剤（図示せず）が塗布されていて裏面シート３にあらかじめ接着されている。
【００１７】
接着剤Ｂ１〜Ｂ５は、おむつ１の縦方向へ波状に起伏して延びる独立した複数条の接着ラインＬを形成している。接着ラインＬでは、隣接する接着ラインＬどうしが互いに交わることなく延び、接着ラインＬ自身の交差する部位３０が点在している。接着剤Ｂ１〜Ｂ５は、表裏面シート２，３とティッシュペーパー４と防漏シート６とターゲットテープ１０とにムラなく略均一に塗布されている。
【００１８】
図１において、コア５の全体をティッシュペーパー４で被覆すると、ティッシュペーパー４に塗布された接着剤Ｂ３を介して、コア５とティッシュペーパー４とが互いに接着される。ティッシュペーパー４どうしはコア５の周縁からコア５の周り方向外方へ延びる部分が互いに接着される。ティッシュペーパー４それぞれの外面に表裏面シート２，３を重ね合わせると、表裏面シート２，３に塗布された接着剤Ｂ１，Ｂ２を介して、ティッシュペーパー４と表裏面シート２，３とが互いに接着され、表裏面シート２，３がそれらシート２，３の両側部２ａ，３ａと両端部２ｂ，２ｃ，３ｂ，３ｃとにおいて互いに接着される。
【００１９】
表裏面シート２，３の両側部２ａ，３ａに防漏シート６の外側部６ｃを重ね、防漏シート６の両端部６ｄをおむつ１の外側へ倒伏した状態で防漏シート６の外側部６ｃに重ねると、防漏シート６の外側部６ｃに塗布された接着剤Ｂ４を介して、防漏シート６の外側部６ｃが表裏面シート２，３の両側部２ａ，３ａに接着され、防漏シート６の両端部６ｃに塗布された接着剤Ｂ４を介して、防漏シート６の両端部６ｃが防漏シート６の外側部６ｃに接着される。裏面シート３の端部３ａにおける外面にターゲットテープ１０の内面を重ねると、ターゲットテープ１０に塗布された接着剤Ｂ５を介して、ターゲットテープ１０が裏面シート３に接着される。
【００２０】
図２，３は、図１の分解斜視図を組み立てた状態で示すおむつ１の部分破断斜視図と、図２のＡ−Ａ線矢視断面図とである。おむつ１は、縦方向に前胴周り域２０と、後胴周り域２２と、それら前後胴周り域２０，２２の間に位置する股下域２１とを有する。おむつ１は、互いに対向して縦方向へ延びていて股下域２１においておむつ１の横方向内方へ向かって湾曲する一対のサイドフラップ１２と、互いに対向して横方向へ延びる一対のエンドフラップ１３とを有する。
【００２１】
サイドフラップ１２は、表裏面シート２，３の両側部２ａ，３ａと防漏シート６の外側部６ｃとから形成されている。サイドフラップ１２では、コア５の両側縁５ａから横方向外方へ表面シート２の両側部２ａが延出し、表面シート２の両側部２ａからさらに横方向外方へ裏面シート３の両側部３ａと防漏シート６の外側部６ｃとが延出している。サイドフラップ１２では、表裏面シート２，３の両側部２ａ，３ａが接着剤Ｂ１，Ｂ２を介して接着され、表裏面シート２，３の両側部２ａ，３ａと防漏シート６の外側部６ｃとが、接着剤Ｂ２，Ｂ４を介して接着されている。サイドフラップ１２では、脚周り用弾性部材７がティッシュペーパー４と裏面シート３との間に挟まれて、裏面シート３の内面（シート面）に接着されている。
【００２２】
エンドフラップ１３は、表裏面シート２，３の両端部２ｂ，２ｃ，３ｂ，３ｃと防漏シート６の外側部６ｃの一部および両端部６ｄとから形成されている。エンドフラップ１３では、表裏面シート２，３の両端部２ｂ，２ｃ，３ｂ，３ｃが接着され、表面シート２の両端部２ｂ，２ｃと防漏シート６の外側部６ｃの一部とが接着されている。エンドフラップ１３では、防漏シート６の両端部６ｄが防漏シート６の外側部６ｃに接着され、胴周り用弾性部材８が表面シート２と裏面シート３との間に挟まれて、表裏面シート２，３の内面（シート面）に接着されている。
【００２３】
おむつ１の後胴周り域２２では、テープファスナ９が折曲されておむつ１の横方向内方へ延び、テープファスナ９の自由端部に塗布された粘着剤（図示せず）を介して表面シート２の外面に剥離可能に貼着されている。おむつ１には、弾性部材７，８，１１の伸長状態が解除され、弾性部材７，８，１１の収縮下にサイドフラップ１２とエンドフラップ１３と防漏シート６の自由側縁部６ａとにギャザーが形成されている。おむつ１では、防漏シート６の自由側縁部６ａに取り付けられた弾性部材１１が収縮して、防漏シート６の自由側縁部６ａがおむつ１の上方へ起立している。
【００２４】
おむつ１は、図３に示すように、表裏面シート３とティッシュペーパー４と防漏シート６とに塗布された接着剤Ｂ１〜Ｂ４が、おむつ１の横方向へ点在するように表れるのではなく、接着剤Ｂ１〜Ｂ４の塗布面では、曲折して延びる接着剤Ｂ１〜Ｂ４がおむつ１の横方向において表裏面シート２，３とティッシュペーパー４と防漏シート６との略全域に塗布されているように表れる。ゆえに、表裏面シート２，３とティッシュペーパー４と防漏シート６とは、おむつ１の横方向のみならず、おむつ１の縦方向においても剥離し難い。
【００２５】
サイドフラップ１２では、裏面シート３の両側部３ａと防漏シート６の外側部６ｃとが表面シート２の両側部２ａよりも横方向外方へ延びているので、体液が表面シート２の両側部２ａへ滲入しても、裏面シート３と防漏シート６とに滲入することができず、サイドフラップ１２からの体液の漏れを防ぐことができる。
【００２６】
図４は、表裏面シート２，３とティッシュペーパー４と防漏シート６とターゲットテープ１０とのいずれかのシート部材に塗布された接着剤Ｂ１〜Ｂ５の接着ラインＬを示す図であり、接着剤Ｂ１〜Ｂ５の一部を省略して示す。隣接する接着ラインＬどうしは、互いに交差することなく延びている。一条の接着ラインＬ自身が曲折を繰り返す回数は、シート部材の縦方向の寸法１ｍに対して５０〜２００回の範囲、好ましくは１００〜１５０回の範囲にある。一条の接着ラインＬ自身が交差する回数は、シート部材の縦方向の寸法１ｍに対して０〜２００回の範囲にある。接着ラインＬが曲折を繰り返す回数は、接着ラインＬのひとつの山部の頂点を基準とした場合、その山部の頂点から隣接する山部の頂点までを１回として計数したものである。接着ラインＬが交差するとは、接着ラインＬ自身が互いに交わることの他に、接着ラインＬ自身が互いに当接することを含む。
【００２７】
接着ラインＬの曲折を繰り返す回数が５０回未満であると、隣接する山部どうしの間の間隔が大きくなるので、接着ラインＬが直線に近くなり、接着ラインＬの延びる方向における接着剤の接着力が弱くなってしまう。接着ラインＬの曲折を繰り返す回数が２００回を超えると、接着ラインＬ自身の交わる回数が前記２００回を超えてしまうことがある。
【００２８】
接着ラインＬが交差する部位３０では、表面シート２とティッシュペーパー４とに滲入した接着剤Ｂ１，Ｂ３が表面シート２とティッシュペーパー４との繊維間隙を広範囲に塞いでしまう。ゆえに、接着ラインＬ自身の交差する回数が２００回を超えると、表面シート２の透液性やティッシュペーパー４の透水性を妨げてしまい、体液が表面シート２からティッシュペーパー４へ、さらに、ティッシュペーパー４からコア５へ円滑に移行しないので、コア５の吸液性を十分に活用することができない。また、接着剤Ｂ３がティッシュペーパー４に滲入しない場合でも、接着ラインＬが交差する部位３０において、接着剤Ｂ３がティッシュペーパー４の内面で広がってコア５の表面を被覆し、コア５の吸液性を妨げてしまう場合もある。
【００２９】
表裏面シート２，３とティッシュペーパー４とを接着する場合、表面シート２と裏面シート３とに塗布する接着剤Ｂ１，Ｂ２の塗布量は、表裏面シート２，３の面積１ｍ２に対して３〜８ｇの範囲にある。表裏面シート２，３と弾性部材７，８とを接着する場合、表裏面シート２，３に塗布する接着剤Ｂ１，Ｂ２の塗布量は、表裏面シート２，３の面積１ｍ２に対して８〜１５ｇの範囲にある。コア５とティッシュペーパー４とを接着する場合、ティッシュペーパー４に塗布する接着剤Ｂ３の塗布量は、ティッシュペーパー４の面積１ｍ２に対して０．８〜５ｇの範囲にある。防漏シート６と表裏面シート２，３とを接着する場合、防漏シート６に塗布する接着剤Ｂ４の塗布量は、防漏シート６の面積１ｍ２に対して３〜８ｇの範囲にある。
【００３０】
接着剤Ｂ１〜Ｂ５の塗布量が前記範囲未満であると、接着力が弱くなって、表裏面シート２，３やティッシュペーパー４、防漏シート６、コア５、弾性部材７，８がそれらの接着域において容易に剥離してしまうことがある。接着剤Ｂ１，Ｂ３の塗布量が前記範囲を超えると、表面シート２やティッシュペーパー４を形成する繊維の坪量、繊維の繊度にもよるが、表面シート２やティッシュペーパー４に滲入した接着剤Ｂ１，Ｂ３が表面シート２とティッシュペーパー４との繊維間隙を広範囲に塞いでしまい、表面シート２の透液性やティッシュペーパー４の透水性を妨げてしまう。
【００３１】
接着剤Ｂ１〜Ｂ５の粘度数は、４０００〜５５００ｃＰの範囲にあることが好ましい。接着剤Ｂ１，Ｂ３の粘度数が４０００ｃＰ未満であると、接着剤Ｂ１，Ｂ３が表面シート２やティッシュペーパー４に滲入し易く、かつ、表面シート２とティッシュペーパー４との繊維内で広がり易くなってしまう。接着剤Ｂ１〜Ｂ５の粘度数が５５００ｃＰを超えると、接着剤Ｂ１〜Ｂ５が塊状のまま硬化してしまう場合がある。
【００３２】
表面シート２には、疎水性繊維不織布を親水化剤で処理したものや親水化剤を練り込んだ繊維で形成した親水性繊維不織布が用いられる。裏面シート３と防漏シート６とには、疎水性繊維不織布、合成樹脂フィルム、疎水性繊維不織布と合成樹脂フィルムとをラミネートした複合シートのいずれかが使用される。不織布としては、エアースルー不織布、ポイントボンド不織布、スパンボンド不織布、スパンレース不織布、メルトブローン不織布等を使用することができる。
【００３３】
コア５は、フラッフパルプと高吸収性ポリマー粒子またはそれらに吸収体形状を維持するための繊維を加えた混合物であり、所要の厚みに圧縮されている。コア５を被覆する透水性シートとしては、ティッシュペーパー４の他に、坪量が５〜１０ｇ／ｍ２の範囲にある透液性の繊維不織布を使用することもできる。
【００３４】
弾性部材７，８，１１としては、合成ゴムや天然ゴム等のエラストマー、または、それらエラストマーを伸長状態で繊維不織布に接着したものを使用することができる。
【００３５】
接着剤Ｂ１〜Ｂ５としては、ブロックゴム系ホットメルト接着剤、オレフィン系ホットメルト接着剤を使用することができる。接着剤Ｂ１，Ｂ２は、表裏面シート２，３の双方に塗布する場合の他、表面シート２と裏面シート３とのいずれか一方に塗布することでもよい。また、接着剤Ｂ１〜Ｂ５が点線状に塗布されていてもよい。防漏シート６は、その両端部６ｃをおむつ１の内側へ倒伏させた状態で、防漏シート６の両端部６ｃを表面シート２の両端部２ｂ，２ｃに接着してもよい。防漏シート６の両端部６ｃをおむつ１の内側へ倒伏した状態で接着する場合は、接着剤Ｂ４が防漏シート６の両端部６ｃにおける内面に塗布される。
【００３６】
この発明は、使い捨ておむつ１の他に、おむつカバーや生理用ナプキン、尿取りパッド等に、または、ゴミ拭き取り用の複合シート、非伸縮性シートに伸縮性シートを伸長状態で接着した複合シート等にも使用することができる。
【００３７】
【発明の効果】
本発明に係る使い捨て体液処理物品によれば、ホットメルト型接着剤が一方向へ曲折して延びる独立した複数条の接着ラインを形成して物品を構成する表裏面シートや透水性シート、防漏シートのシート部材に塗布されているので、接着剤の延びる方向とその延びる方向に交差する方向とのいずれに対しても、略同等の接着力でそれらシート部材を接着することができ、シート部材どうしの剥離を防ぐことができる。
【００３８】
接着ラインでは、それらシート部材の寸法１ｍに対して接着ライン自身の曲折を繰り返す回数が、５０〜２００回の範囲にあり、それらシート部材の寸法１ｍに対して接着ライン自身が交差する回数が０〜２００回の範囲にあるので、塗布された接着剤がシート部材へ滲入してシート部材の繊維間隙が塞がれたとしても、繊維間隙が塞がれる範囲を最小限にすることができ、シート部材が有する透液性や透水性を妨げることはない。
【００３９】
この体液処理物品では、表裏面シートと透水性シートとを接着する場合の該表裏面シートに塗布する接着剤の塗布量が表裏面シートの面積１ｍ２に対して３〜８ｇの範囲、表裏面シートと弾性部材とを接着する場合の該表裏面シートの両側部と両端部とに塗布する接着剤の塗布量が表裏面シートの面積１ｍ２に対して８〜１５ｇの範囲、透水性シートとコアとを接着する場合の該透水性シートに塗布する接着剤の塗布量が透水性シートの面積１ｍ２に対して０．８〜５ｇの範囲にあるので、それらシート部材の剥離を防ぎつつ、それらシート部材に滲入した接着剤がシート部材の繊維間隙を広範囲に塞いでしまうことを防ぐことができる。
【００４０】
この体液処理物品では、接着剤が表面シートの透液性や透水性シートの透水性を妨げることがないので、体液が表面シートから透水性シートへ、さらに、透水性シートからコアへ円滑に移行することができ、コアの有する吸液性を十分に活用することができる。
【図面の簡単な説明】
【図１】使い捨ておむつの分解斜視図。
【図２】組み立てた状態で示すおむつの部分破断斜視図。
【図３】図２のＡ−Ａ線矢視断面図。
【図４】シート部材に塗布された接着剤の接着ラインを示す図。
【符号の説明】
１            使い捨ておむつ
２            透液性表面シート
２ａ          両側部
２ｂ，２ｃ    両端部
３            不透液性裏面シート
３ａ          両側部
３ｂ，３ｃ    両端部
４            ティッシュペーパー（透水性シート）
５            吸液性コア
５ａ          両側縁
５ｂ          両端縁
６            液抵抗性防漏シート
６ｃ          外側部
６ｄ          縦方向両端部
７            脚周り用弾性部材
８            胴周り用弾性部材
１２            サイドフラップ
１３            エンドフラップ
Ｂ１〜Ｂ４    接着剤
Ｌ            接着ライン
【図１】
0003560514.tif 000002
【図２】
0003560514.tif 000003
【図３】
0003560514.tif 000004
【図４】
0003560514.tif 000005